(57)【要約】【課題】エンジン室への雨水の浸入を防止しながら、排風を排風口から良好に排出させることができるエンジン作業機を提供する。【解決手段】ケーシング１３の内部を、ラジエータ１７を装着した仕切壁１２ａを介して、発電機１４とエンジン１５とを収容するエンジン室１９と、天井壁２０ａに排風口２０ｂを備えた排風室２０とに区画する。排風口２０ｂの周囲の天井壁２０ａに、羽板２２ａの向きを側壁２０ｄ側に指向させたルーバ２２を取り付ける。排風室２０は、仕切壁側の下部に排水口２０ｃを備え、側壁２０ｄから排水口２０ｃに向けて、排風口２０ｂから浸入する雨水を排水口２０ｃに導くガイド板２１を取り付ける。ガイド板２１は側壁２０ｄ側に平面部２１ａを、排水口２０ｃ側に平面部２１ａから排水口２０ｃに向けて下方に傾斜する傾斜部２１ｂを備え、ルーバ２２を平面部２１ａの上方に設ける。【選択図】図１
2019120191.tif 000002
【特許請求の範囲】
【請求項１】
ケーシングの内部を、ラジエータを装着した仕切壁を介して、作業機と該作業機を駆動するエンジンとを収容するエンジン室と、天井壁に排風口を備えた排風室とに区画したエンジン作業機において、前記排風口の下部に、羽板の下端の向きを、前記仕切壁と対向する側壁の方向に指向させたルーバを取り付けたことを特徴とするエンジン作業機。
【請求項２】
前記排風室は、仕切壁側の下部に排水口を備え、前記側壁から前記排水口に向けて、前記排風口から浸入する雨水を前記排水口に導くガイド板を取り付け、該ガイド板は側壁側に平面部を、排水口側に前記平面部から前記排水口に向けて下方に傾斜する傾斜部を備え、前記ルーバは、該ルーバから落下する水滴が、前記平面部に落下する状態に設けられることを特徴とする請求項１記載のエンジン作業機。
【請求項３】
前記ルーバによって、前記ラジエータと前記排風口とが遮断されていることを特徴とする請求項１又は２記載のエンジン作業機。
【発明の詳細な説明】
【技術分野】
【０００１】
本発明は、エンジン作業機に関し、詳しくは、ケーシングの内部を、ラジエータを装着した仕切壁を介してエンジン室と排風室とに区画したエンジン作業機に関する。
【背景技術】
【０００２】
従来、ケーシングの内部を、ラジエータを装着した仕切壁を介してエンジン室と排風室とに区画したエンジン作業機では、エンジン室には、発電機や圧縮機などの作業機と該作業機を駆動するエンジンとが収容され、エンジンや作業機を冷却させるための空気を内部に取り入れる吸気口が設けられるとともに、ラジエータで冷却水を冷却していた。また、排風室は、上部に排風口を備え、吸気口から取り入れた空気で作業機やエンジンを冷却した後に、排風口から外部に排出させ、また、エンジンからの排ガスも排風口から外部に排出させていた。
【０００３】
このエンジン作業機では、運転中は排風口に向けて排風が流れていることから雨天時に雨水が排風に妨げられてエンジン室に浸入し難いものの、運転を停止した際には、排風口から雨水がエンジン室に浸入する虞があった。このため、ラジエータの排風室側に、羽板の向きを床側に指向させたルーバを取り付け、雨水の浸入を防止したものがあった（例えば、特許文献１参照。）。
【先行技術文献】
【特許文献】
【０００４】
【特許文献１】特許第６０７６２９３号公報
【発明の概要】
【発明が解決しようとする課題】
【０００５】
しかし、上述の特許文献１のものでは、ラジエータの直後に、排風室の排風の流れと逆方向に指向させたルーバを設けたことにより、排風は、排風室の床に向けて流れ、排風を排風口から良好に排出させられなかった。
【０００６】
そこで本発明は、エンジン室への雨水の浸入を防止しながら、排風を排風口から良好に排出させることができるエンジン作業機を提供することを目的としている。
【課題を解決するための手段】
【０００７】
上記目的を達成するため、本発明のエンジン作業機は、ケーシングの内部を、ラジエータを装着した仕切壁を介して、作業機と該作業機を駆動するエンジンとを収容するエンジン室と、天井壁に排風口を備えた排風室とに区画したエンジン作業機において、前記排風口の下部に、羽板の下端の向きを、前記仕切壁と対向する側壁の方向に指向させたルーバを取り付けたことを特徴としている。
【０００８】
また、前記排風室は、仕切壁側の下部に排水口を備え、前記側壁から前記排水口に向けて、前記排風口から浸入する雨水を前記排水口に導くガイド板を取り付け、該ガイド板は側壁側に平面部を、排水口側に前記平面部から前記排水口に向けて下方に傾斜する傾斜部を備え、前記ルーバは、該ルーバから落下する水滴が、前記平面部に落下する状態に設けられると好ましい。さらに、前記ルーバによって、前記ラジエータと前記排風口とが遮断されていると好適である。
【発明の効果】
【０００９】
本発明のエンジン作業機によれば、雨水は、羽板の下端の向きを仕切壁と対向する側壁の方向に指向させたルーバを伝って、反ラジエータ側に導かれることから、雨水がエンジン室内に侵入することを防止できる。また、ラジエータから排出された排風は、仕切壁に対向する側壁に沿って上昇し、ルーバにガイドされながら排風口から良好に外部に排出される。
【００１０】
さらに、排風室は、仕切壁側の下部に排水口を備え、側壁から排水口に向けて、排風口から浸入する雨水を排水口に導くガイド板を取り付け、ガイド板は仕切壁側に平面部を、排水口側に平面部から排水口に向けて下方に傾斜する傾斜部を備えていることにより、雨水は、ルーバを伝ってガイド板の平面部に落下し、傾斜部に沿って排水口に導かれることから、雨水がエンジン室に浸入すること確実に防止することができる。また、ルーバによって、ラジエータと排風口とを遮断した状態としたことから、エンジン室からの騒音を遮音でき、防音効果を奏することができる。
【図面の簡単な説明】
【００１１】
【図１】本発明の一形態例を示すエンジン作業機の断面側面図である。
【図２】同じくエンジン作業機の一部平面図である。
【図３】同じくエンジン作業機の要部説明図である。
【発明を実施するための形態】
【００１２】
図１乃至図３は本発明のエンジン作業機の一形態例を示す図である。エンジン作業機１１は、床台１２の上部に配設されたケーシング１３の内部に、作業機の一つである発電機１４と、該発電機１４を駆動するエンジン１５と、燃料タンク１６，ラジエータ１７，マフラ１８などの機器とを収容している。エンジン１５とマフラ１８との間には、ラジエータ１７を装着した仕切壁１２ａが設けられ、この仕切壁１２ａによってケーシング１３内が、発電機１４やエンジン１５を収容したエンジン室１９と、マフラ１８を含む排気管１８ａと燃料タンク１６とを収容した排風室２０とに区画され、エンジン室１９側のケーシング１３には、内部に冷却用の空気を取り入れるための吸気口が設けられている。
【００１３】
排風室２０は、天井壁２０ａに、発電機１４やエンジン１５を冷却した後の空気や排ガスを外部に放出するための排風口２０ｂが設けられ、仕切壁１２ａ側の下部に排風口２０ｂから浸入する雨水を排出させる排水口２０ｃが設けられている。エンジン１５からの排ガスは、排風室の上部に設けられたマフラ１８を介して、先端部を排風口２０ｂに配置した排気管１８ａから外部に排出される。排風口２０ｂの下方には、仕切壁１２ａに対向する側壁２０ｄから排水口２０ｃに向けて、排風口２０ｂから浸入する雨水を排水口２０ｃに導くガイド板２１が取り付けられ、該ガイド板２１は、側壁２０ｄ側に平面部２１ａを、排水口２０ｃ側に平面部２１ａから排水口２０ｃに向けて下方に傾斜する傾斜部２１ｂを備えている。さらに、ガイド板２１の下方には、前記燃料タンク１６が配置されている。
【００１４】
排風口２０ｂは、排気管１８ａの先端部の周囲に設けられる長方形状で開口面積の大きい大型開口部２０ｅと、正方形状で開口面積の小さい複数の小型開口部２０ｆとを備えており、小型開口部２０ｆは、縦横に整列して設けられている。また、前記平面部２１ａの上方に位置する天井壁２０ａには、羽板２２ａの下端の向きを側壁２０ｄ側に指向させたルーバ２２が設けられ、該ルーバ２２によって、ラジエータ１７と排風口２０ｂとが遮断された状態となっている。羽板２２ａは、例えば、天井壁２０ａに板材を傾斜させた状態で溶接したり、また、小型開口部２０ｆを打ち抜いて形成する際に、羽板２２ａを形成する板材を残し、残した板材を折り曲げて傾斜させたりすることで形成することができる。
【００１５】
上述のように形成されたエンジン作業機１１では、排風口２０ｂの側壁２０ｄ側から浸入する雨水Ｒ１は、側壁２０ｄ側に指向させたルーバ２２の羽板２２ａを伝って、反ラジエータ側に導かれた状態で、ガイド板２１の平面部２１ａに落下した後、傾斜部２１ｂで跳ね返ることがなく、該傾斜部２１ｂに沿って排水口２０ｃに導かれることから、エンジン室１９に雨水Ｒ１が浸入することを防止できる。また、ラジエータ１７のファンの作用により、前記吸気口からエンジン室１９内に引き込まれた空気は、発電機１４やエンジン１５を冷却して温度上昇した状態でラジエータ１７を通過して排風室２０に流入し、側壁２０ｄに沿って上昇し、ルーバ２２にガイドされながら排風口２０ｂから良好に外部に排出される。また、天井壁２０ａにルーバ２２によって、ラジエータ１７と排風口２０ｂとが遮断された状態となっていることから、エンジン室からの騒音を遮音でき、防音効果を奏することができる。
【００１６】
なお、本発明のエンジン作業機は、ケーシングの内部をラジエータを装着した仕切壁を介して、作業機とエンジンとを収容するエンジン室と、排風口と雨水を排出させる排水口とを備えた排風室とに区画したものであれば、その他の機器の配置は任意である。また、ルーバは排風室に設けられる機器の配置や、ガイド板の形状等に応じて、排風室の排風口に適宜設ければよく、ルーバの羽板の傾斜角度や長さ等は、雨水の落下状態や排風状態に応じて適宜設定すればよい。
【符号の説明】
【００１７】
１１…エンジン作業機、１２…床台、１２ａ…仕切壁、１３…ケーシング、１４…発電機、１５…エンジン、１６…燃料タンク、１７…ラジエータ、１８…マフラ、１８ａ…排気管、１９…エンジン室、２０…排風室、２０ａ…天井壁、２０ｂ…排風口、２０ｃ…排水口、２０ｄ…側壁、２０ｅ…大型開口部、２１…ガイド板、２１ａ…平面部、２１ｂ…傾斜部、２２…ルーバ、２２ａ…羽板
【図１】
2019120191.tif 000003
【図２】
2019120191.tif 000004
【図３】
2019120191.tif 000005